(57)【要約】【課題】書籍における折込みが、剥離可能で再接着不能な接着剤の利用にて行なえるようにし、折込みの簡単な見開きが行なえるとともに、不正な見開きを抑止できる書籍を得る。【解決手段】折込み用紙６の折り畳み対向面８それぞれの全面に、互いに剥離可能に接合して所定貼り合わせ圧力未満で再接着不能な接着剤層１０を設け、折り畳み対向面８の接着剤層１０同士の接合により折込み用紙６を展開可能に折り合わせた。【選択図】      図２
2004351768.tif 000002
【特許請求の範囲】
【請求項１】
折り畳みにより折り畳み対向面それぞれに形成された印刷情報が隠蔽される折込み用紙を綴じ込んだ書籍であって、前記折込み用紙の折り畳み対向面それぞれの所定部に、互いに剥離可能に接合して所定貼り合わせ圧力未満で再接着不能な接着剤層が施されて、この折り畳み対向面の前記接着剤層同士の接合により折込み用紙が展開可能に折り合わされていることを特徴とする書籍。
【発明の詳細な説明】
【０００１】
【発明の属する技術分野】
本発明は、折込みが一体に綴じ込まれている本や冊子などの書籍に関するものである。
【０００２】
【従来の技術】
従来から各種の宣伝用チラシとして折込みが新聞に差し入れられている。そしてこのチラシの小型化と薄形化とを行ない展開もし易くするためにチラシの折り畳み時の対向辺部に軽剥離再接着不能の接着剤を塗布する工夫が提案されている（例えば、特許文献１参照）。また、重ね合わせた印刷面全面相互を剥離可能のする際にも前記軽剥離再接着不能の接着剤を用いる技術が提案されている（例えば特許文献２参照）。
一方、上記折込みは書籍に対しても採用されていて、書籍の本文中の一頁に収まらない情報を掲載する場合や大きいポスターを一体にして組み入れる場合であり、頁寸法より大寸の折込み用紙に前記情報を設けたりこの折込み用紙をポスターとして作成してこれを折り畳んだ状態で本文ととともに綴じるようにしている（例えば、特許文献３参照）。また、折込みを有する書籍としては、その折込み部分に未成年者の閲覧には好ましくない画像などの印刷情報を設けたものもある。
【０００３】
【特許文献１】
特開２００２−３６２０６５号公報（段落番号００１９）
【特許文献２】
特開２００１−０３１９３３号公報（段落番号０００９）
【特許文献３】
特開平１１−３３４２４５号公報（図１）
【０００４】
【発明が解決しようとする課題】
ところでこの折込みを備える書籍も一般書店で展示販売されているが、一般客が書籍の閲覧に際して折込みまで開くことがあり、この折込みが繰り返し展開されると折込み用紙の折り目から裂けが生じたりして書籍の商品価値が低下するようになる。このようなことから折込み用紙の見開き口側に封緘シールを止め付けるなどの対策がなされている。
しかし、正規の購入者側で封緘を切ることで折込み用紙を展開できるが、その封緘を切ったでは封緘シールの切れ残りが折込み用紙に貼着したままでの残存することになり、その切れ残りで見開き面で表示される家蔵イメージなどを損なうこともあるため、着れ残りを除去しなければならない手間を要している。
さらに上記封緘シール自体は粘着剤を備えたもので再接着性があり、封緘シールをきれいにめくってから一旦折込みを見開き、そして再び折込みを再び折り戻して封緘シールを押さえ付けるようにすれば、封緘状態に戻るようになってしまうが、このように書籍の折込みにあっては不正な見開きを防止する対策が講じられていないのが現状であった。
そこで本発明者は上記チラシなどの枚葉形態物で採用されている接着剤に着目して本発明に至ったものである。即ち、本発明は上記時寿に鑑み、書籍における折込みが、剥離可能で再接着不能な接着剤の利用にて行なえるようにすることを課題とし、折込みの簡単な見開きが行なえるとともに、不正な見開きを抑止できる書籍を得ることを目的とするものである。
【０００５】
【課題を解決するための手段】
本発明は上記課題を考慮してなされたもので、折り畳みにより折り畳み対向面それぞれに形成された印刷情報が隠蔽される折込み用紙を綴じ込んだ書籍であって、前記折込み用紙の折り畳み対向面それぞれの所定部に、互いに剥離可能に接合して所定貼り合わせ圧力未満で再接着不能な接着剤層が施されて、この折り畳み対向面の前記接着剤層同士の接合により折込み用紙が展開可能に折り合わされていることを特徴とする書籍を提供して、上記課題を解消するものである。
【０００６】
【発明の実施の形態】
つぎに本発明を図１から図３に示す実施の形態に基づいて詳細に説明する。
図中１は書籍で、該書籍１は複数の折丁を背糊にて綴じ合せた本文２を表表紙３と裏表紙４との間に配したものである。そして、図示されているように、本文２の途中位置に折込み５が本文２と一体となるようにして綴じ込まれている。
上記折込み５は折込み用紙６の綴じ込み側の一辺が表出するようにして折り部７から折り畳んだものであり、折り畳みにより対向する二面の折り畳み対向面８に印刷情報９が連続するようにして設けられている（図３参照）。なお、前記印刷情報９は図示のような画像の形態に限定されるものではなく、文字の形態であってもよいものである。
【０００７】
また、上記折込み５には薄形の形態が維持され易く、かつ見開きが容易に行なえるようにするための工夫が施されているもので、上記折り畳み対向面８それぞれの全面には印刷情報９を覆うようにして透明な接着剤層１０が形成されている。前記接着剤層１０それぞれは重ね合わせして所定貼り合わせ圧力を加えることで互いに剥離可能に接合し、さらに一旦剥離した後での接合条件が前記所定貼り合わせ圧力未満である場合には再接着不能となる接着剤からなるものである。
このように接着剤層１０が互いに剥離可能に接合して貼り合わせ条件が所定貼り合わせ圧力未満であるときに再接着不能となるものであることから、この接着剤層１０を対向させて所定貼り合わせ圧力の貼り合わせ条件（加圧）を加えた折込み５にあっては、見開かないときには膨らみを生じることなく薄形の形態に保たれて本文２中に位置し、見開き口側から折り畳み対向面相互を剥離するように開けば容易に折込み用紙６が展開され、隠蔽されていた印刷情報９を見ることができる。
さらに、一旦見開いた折込み用紙６を再び元のように折り畳んで上記折り畳み対向面８を合わせても、以下のように人手で加えることのできる程度の貼り合わせ圧力では接着剤層１０同士が再接着しないので、折込み５の形態を見ることで見開き操作が行われたかどうかが容易に判別できるものとなっている。即ち、折込み５に対する不正見開き操作の有無の確認が容易であるとともに、見開き口での僅かな捲り操作でもその部分での貼り戻しが行なえなくなるため、不正な見開き操作を抑止する効果がある。そして、容易に剥離できるものであるため、折り畳み対向面８それぞれの紙むけなども生じず、適正な印刷情報９を見開きにより閲覧することができる。
【０００８】
印刷情報９上の接着剤層１０を形成する接着剤は、通常状態では接着することがなく、互いに重ね合わせして所定の貼り合わせ圧力以上の圧力を加えることにより接着し、かつ必要時に剥離しうる層を形成する透明性を備えたものであって、接着剤基剤として、例えば、メタクリル酸メチルグラフト共重合天然ゴム系ラテックス固形分１００質量部に対してスチレン・アクリル共重合体エマルジョンをその固形分が５〜５０質量部となるように配合した混合物を用い、これに当該接着剤基剤１００質量部に対し非親和性を示す微粒状充填剤を３０〜１００質量部配合してなるものが利用できる。
上記メタクリル酸メチルグラフト共重合天然ゴム系ラテックスは、メタクリル酸メチルでグラフト重合した天然ゴム系ラテックス（天然ゴム１００重量部に対してメタクリル酸メチル１０〜４０質量部程度グラフト化したもの）であり、従来、天然ゴム系ラテックスの基剤として慣用されている天然ゴムラテックスを用いることができる。
また、上記スチレン・アクリル共重合体エマルジョンは、一般に含浸、塗料、紙加工などの成分として慣用されている合成ラテックスであり、スチレン・アクリル共重合体を水性溶媒中に分散させたエマルジョンである。この際、粒子を分散安定化させるためには乳化剤が必要であるが、この乳化剤としては、一般にロジンセッケン、ナフタレンスルホン酸塩、脂肪酸セッケン、アルキルベンゼンスルホン酸塩などのアニオン系界面活性剤が用いられる。
さらに、上記接着剤基剤に対して非親和性を示す微粒子充填剤としては、接着剤基剤との親和力が小さいものであって、接着層が透明性を阻害しないようにする必要から、粒子形状が規則的に整ったものを用いるのがよい。このようなものとしては、例えば、各種デンプン系、合成ゼオライト、微球状アクリル樹脂、微球状メタクリル樹脂、微球状ポリエチレン、球状アルミナ、ガラス粉末、シラスバルーン、活性白土などが挙げられる。これらの微粒子充填剤は、単独で用いてもよいし、２種以上組み合わせて用いてもよい。
【０００９】
そして、上記接着剤をグラビアコーター、フレキソ、エアナイフコーター、バーコーターなどの塗布手段により上記印刷情報を覆うようにして折り畳み対向面全面それぞれに塗布することで接着剤層１０が得られる。
このようにして形成した折込み用紙６における接着剤層１０を折り部７からの折り畳みによってを重ね合わせ、所定の貼り合わせ圧力である５００／ｃｍ２以上の圧力を加えることによって折り合され、必要時に見開きできるようにした折込み５が得られ、これを製本時に本文２の途中に配した状態として綴じ混むことで書籍１が得られる。
【００１０】
なお、上記書籍として複数の折丁を背糊により綴じた本文を表表紙と裏表紙との間に配したものとして示したが、中綴じされた雑誌や冊子であってもよく、限定されるものではない。
【００１１】
上記実施の形態において、接着剤層は予め印刷情報が形成された折り畳み対向面に上記接着剤を施すことによって設けたが、予め接着剤層が形成されている折り畳み対向面に印刷情報を設けるようにしてもよい。
この場合の接着剤層を得るための接着剤の一例としては、通常状態では接着することがなく、加圧により接着し、かつ必要時に剥離しうる接着層、いわゆる粘着層を形成する透明性を有するものであって、接着剤基剤として、天然ゴム系粘着剤用基剤固形分１００質量部に対してスチレン含量が４０〜７０％のスチレンリッチＳＢＲラテックスをその固形分が１０〜６０質量部となるように配合した混合物を用い、これに当該接着剤基剤に対し非親和性を示す微粒状充填剤を配合してなるものが利用できる。そして、この接着剤よりなる接着剤層を折り畳み対向面に塗布形成した後、グラビア印刷、スクリーン印刷などの通常印刷手法により印刷情報を形成し、或いは、プリンタ機器を用いて印刷情報を形成し、この後、折込み用紙を折り畳んで上記所定貼り合わせ圧力条件の５００／ｃｍ２以上の圧力を加えて貼り合わせることで、上記折込みが得られる。
【００１２】
【発明の効果】
以上説明知たように本発明の書籍によれば、折り畳みにより折り畳み対向面それぞれに形成された印刷情報が隠蔽される折込み用紙を綴じ込んだ書籍であって、前記折込み用紙の折り畳み対向面それぞれの所定部に、互いに剥離可能に接合して所定貼り合わせ圧力未満で再接着不能な接着剤層が施されて、この折り畳み対向面の前記接着剤層同士の接合により折込み用紙が展開可能に折り合わされていることを特徴とするものであり、折込みを一旦見開いてから再び折り畳んで押さえ付けるようにしてもその折り畳み対向面が相互に接合せず、見開いた行為があったことが容易に判断できるとともに、不正な見開き行為を抑止する上で格段の効果がある。
【図面の簡単な説明】
【図１】本発明に係る書籍の一例を示す説明図である。
【図２】一例における折込みを断面で示す説明図である。
【図３】一例における折込みを展開した状態を示す説明図である。
【符号の説明】
１…書籍
２…本文
３…表表紙
４…裏表紙
５…折込み
６…折込み用紙
８…折り畳み対向面
９…印刷情報
１０…接着剤層
【図１】
2004351768.tif 000003
【図２】
2004351768.tif 000004
【図３】
2004351768.tif 000005